(57)【要約】【課題】所望のテレビ番組に関するウェブページにアクセスするだけで、大量のテレビ番組の中から、簡単に所望のテレビ番組を選局することができるウェブ連携放送受信装置を得ることを目的とする。【解決手段】ウェブサーバから所望のウェブページを収集するウェブページ収集部１４と、ウェブページ収集部１４により収集されたウェブページの構文を解析する構文解析部１５と、構文解析部１５の構文解析結果からテレビ番組の番組情報を検出する番組情報検出部１７とを設け、番組情報検出部１７により検出された番組情報が示すテレビ番組を選局する。【選択図】図１
2010147907.tif 000002
【特許請求の範囲】
【請求項１】
所望のウェブページを管理しているウェブサーバから上記ウェブページを収集するウェブページ収集手段と、上記ウェブページ収集手段により収集されたウェブページの構文を解析する構文解析手段と、上記構文解析手段の構文解析結果からテレビ番組の番組情報を検出する番組情報検出手段と、上記番組情報検出手段により検出された番組情報が示すテレビ番組を選局する番組選局手段とを備えたウェブ連携放送受信装置。
【請求項２】
所望のウェブページを管理しているウェブサーバから上記ウェブページを収集するウェブページ収集手段と、上記ウェブページ収集手段により収集されたウェブページの構文を解析する構文解析手段と、上記構文解析手段の構文解析結果から放送予定のテレビ番組の番組情報を検出する番組情報検出手段と、上記番組情報検出手段により検出された番組情報が示す放送予定のテレビ番組を録画予約する録画予約手段とを備えたウェブ連携放送受信装置。
【請求項３】
番組情報検出手段により検出された番組情報が示すテレビ番組を選局する番組選局手段を設けたことを特徴とする請求項２記載のウェブ連携放送受信装置。
【請求項４】
番組選局手段により選局されたテレビ番組を録画する番組録画手段と、上記番組録画手段により録画されたテレビ番組の中から、番組情報検出手段により検出された番組情報が示すテレビ番組を選択し、上記テレビ番組を再生する番組再生手段とを設けたことを特徴とする請求項１または請求項３記載のウェブ連携放送受信装置。
【発明の詳細な説明】
【技術分野】
【０００１】
この発明は、テレビ番組の選局等を行うウェブ連携放送受信装置に関するものである。
【背景技術】
【０００２】
近年、地上デジタル放送、ＢＳデジタル放送、ＣＳデジタル放送、ＩＰ放送など、様々なメディアを介して、テレビ番組を放送・配信するサービスが行われている。
また、複数のサービスを享受して、大量のテレビ番組の視聴が可能な放送受信機が普及している（例えば、特許文献１を参照）。
【０００３】
視聴者は、テレビ番組を視聴する際、リモコンのチャンネル切り替えボタンを押下すれば、所望のテレビ番組を選局することができる。あるいは、放送受信機の画面に映し出される電子番組案内表（ＥＰＧ：Ｅｌｅｃｔｒｉｃ  Ｐｒｏｇｒａｍ  Ｇｕｉｄｅ）を参照して、所望のテレビ番組を確認してから、リモコンを操作することで、所望のテレビ番組を選局することができる（例えば、特許文献２を参照）。
また、放送されているテレビ番組をハードディスクやＤＶＤ、あるいは、Ｂｌｕ−ｒａｙ  Ｄｉｓｃ等の光メディア内に、デジタルデータとして録画することもできる。
録画されたテレビ番組は、その後、視聴することができる。
【０００４】
ただし、従来の放送受信機では、視聴可能な大量のテレビ番組の中から、所望のテレビ番組を選局することは困難である。
即ち、電子番組案内表に表示される膨大な数のテレビ番組（数百のテレビ番組）の中から視聴を希望するテレビ番組を探し出すことは困難である。
また、近年発売されている数テラバイトの膨大な記憶容量を有するハードディスクレコーダに大量のテレビ番組が録画された場合、そのハードディスクレコーダに録画されているテレビ番組（以下、「録画番組」と称する）が一覧表示されるが、この場合も、視聴を希望する録画番組を探し出すことは困難である。
【０００５】
一方で、インターネットにおけるウェブの分野においては、フリー百科事典を提供する百科事典サイトや、ウェブサイトを検索する検索サイトが充実している。
したがって、ウェブ上には、膨大な数のウェブページが存在しているが、百科事典サイトや検索サイトを利用することで、所望のウェブページをアクセスすることは比較的容易になっている。
ただし、利用者がパソコン等を使用して、所望のテレビ番組に関するウェブページをアクセスしても、そのテレビ番組を視聴するには、利用者が放送受信機のリモコン等を操作して、そのテレビ番組の選局等を行う必要があり、利用者の操作が煩雑である。
【０００６】
【特許文献１】特開２００３−２９８９６２号公報
【特許文献２】特開平８−１１１８２３号公報
【発明の開示】
【発明が解決しようとする課題】
【０００７】
従来の放送受信機は以上のように構成されているので、大量のテレビ番組の視聴が可能であっても、所望のテレビ番組を選局することが困難である課題があった。
また、利用者がパソコン等を使用して、所望のテレビ番組に関するウェブページをアクセスしても、そのテレビ番組を視聴するには、利用者が放送受信機のリモコン等を操作して、そのテレビ番組の選局等を行う必要があり、利用者の操作が煩雑であるなどの課題があった。
【０００８】
この発明は上記のような課題を解決するためになされたもので、所望のテレビ番組に関するウェブページにアクセスするだけで、大量のテレビ番組の中から、簡単に所望のテレビ番組を選局することができるウェブ連携放送受信装置を得ることを目的とする。
【課題を解決するための手段】
【０００９】
この発明に係るウェブ連携放送受信装置は、ウェブサーバから所望のウェブページを収集するウェブページ収集手段と、ウェブページ収集手段により収集されたウェブページの構文を解析する構文解析手段と、構文解析手段の構文解析結果からテレビ番組の番組情報を検出する番組情報検出手段とを設け、番組選局手段が番組情報検出手段により検出された番組情報が示すテレビ番組を選局するようにしたものである。
【発明の効果】
【００１０】
この発明によれば、ウェブサーバから所望のウェブページを収集するウェブページ収集手段と、ウェブページ収集手段により収集されたウェブページの構文を解析する構文解析手段と、構文解析手段の構文解析結果からテレビ番組の番組情報を検出する番組情報検出手段とを設け、番組選局手段が番組情報検出手段により検出された番組情報が示すテレビ番組を選局するように構成したので、所望のテレビ番組に関するウェブページにアクセスするだけで、大量のテレビ番組の中から、簡単に所望のテレビ番組を選局することができる効果がある。
【発明を実施するための最良の形態】
【００１１】
実施の形態１．
図１はこの発明の実施の形態１によるウェブ連携放送受信装置を適用するシステムを示す構成図である。
図１において、ウェブサーバ１はテレビ番組に関するウェブページを管理しており、番組情報や出演者情報の検索や提供が可能なウェブサイトをなしている。
ネットワーク２は例えばインターネットやＬＡＮなどの通信網である。
ウェブ連携放送受信装置３はネットワーク２を介してウェブサーバ１と接続されており、例えば、ＨＴＴＰ（Ｈｙｐｅｒ  Ｔｅｘｔ  Ｔｒａｎｓｐｏｒｔ  Ｐｒｏｔｏｃｏｌ）によって、ウェブサーバ１と通信が可能になっている。
【００１２】
なお、ウェブサーバ１が管理しているウェブページはＵＲＩ（Ｕｎｉｆｏｒｍ  Ｒｅｓｏｕｒｃｅ  Ｉｄｅｎｔｉｆｉｅｒ）と一対一に対応しており、ウェブサーバ１は、ウェブ連携放送受信装置３から送信されたＨＴＴＰ要求に含まれているＵＲＩによって指定されるウェブページをウェブ連携放送受信装置３に返送する。
【００１３】
図２はこの発明の実施の形態１によるウェブ連携放送受信装置を示す構成図である。
図２において、入力受付部１１は例えばマウス、キーボードやテレビリモコンなどのマンマシンインタフェースから構成されており、例えば、利用者が所望のテレビ番組に関するウェブページのＵＲＩを指定する場合に、入力受付部１１を操作して、そのウェブページのＵＲＩを入力する。
ウェブブラウザ１２はウェブページを表示するアプリケーションであり、ブラウザ制御部１３、ウェブページ収集部１４、構文解析部１５及び描画処理部１６から構成されている。
【００１４】
ブラウザ制御部１３は入力受付部１１における入力内容に応じた処理を実施する処理部であり、例えば、ウェブページのＵＲＩが入力された場合、あるいは、既に開かれているウェブページ内のアンカー（リンク）がクリックされることにより、そのアンカーに設定されているＵＲＬが指定された場合、そのＵＲＬと対応するウェブページのダウンロード要求をウェブページ収集部１４に出力する処理を実施する。
ウェブページ収集部１４はネットワーク２に対する通信インタフェースを備えており、ブラウザ制御部１３からダウンロード要求を受けると、ウェブサーバ１とＨＴＴＰ通信を行うことで、ウェブサーバ１からダウンロード要求に含まれているＵＲＬに対応するウェブページのダウンロードを行う。なお、ウェブページ収集部１４はウェブページ収集手段を構成している。
【００１５】
構文解析部１５はウェブページ収集部１４により収集されたウェブページの構文を解析する処理を実施する。
ウェブページ収集部１４により収集されたウェブページは、ＨＴＭＬ、ＸＨＴＭＬやＸＭＬのようなマークアップ言語により記述されており、構文解析部１５の構文解析結果は、ＤＯＭ（Ｄｏｃｕｍｅｎｔ  Ｏｂｊｅｃｔ  Ｍｏｄｅｌ）と呼ばれるインタフェースによって内部情報の読み出しが可能である。なお、構文解析部１５は構文解析手段を構成している。
【００１６】
描画処理部１６は構文解析部１５の構文解析結果を参照して、ウェブページの画像データを生成し、その画像データを多重化部２０に出力する処理を実施する。
番組情報検出部１７は構文解析部１５の構文解析結果からテレビ番組の番組情報を検出する処理を実施する。
なお、番組情報検出部１７は番組情報検出手段を構成している。
【００１７】
レコーダ制御部１８は番組情報検出部１７により検出された番組情報が示すテレビ番組の選局に用いる選局用ボタンの画像データの作成、選局されているテレビ番組の録画に用いる録画用ボタンの画像データの作成、放送予定のテレビ番組の録画予約に用いる予約用ボタンの画像データの作成、あるいは、録画されているテレビ番組の再生に用いる再生用ボタンの画像データの作成を実施して、それらの画像データを多重化部２０に出力するほか、利用者が入力受付部１１を操作して、選局用ボタンが指定された場合には当該テレビ番組の選局指令をレコーダ部１９に出力し、録画用ボタンが指定された場合には当該テレビ番組の録画指令をレコーダ部１９に出力し、予約用ボタンが指定された場合には当該テレビ番組の録画予約指令をレコーダ部１９に出力し、再生用ボタンが指定された場合には当該テレビ番組の再生指令を出力する処理を実施する。
【００１８】
レコーダ部１９は例えば地上デジタル放送、ＢＳデジタル放送、ＣＳデジタル放送、ＩＰ放送などのデジタル放送を受信する放送受信機や、それらのデジタル放送を録画するハードディスクなどから構成されており、レコーダ制御部１８の指令の下、テレビ番組の選局、選局されているテレビ番組の録画、放送予定のテレビ番組の録画予約、録画済みのテレビ番組の再生等を行う機能を備えている。
なお、レコーダ部１９はテレビ番組をハードディスクに録画する際、電子番組案内表から当該テレビ番組の番組情報を取得し、その番組情報を録画番組に付与しておくものとする。これにより、レコーダ制御部１８から番組情報検出部１７により検出された番組情報が示すテレビ番組がハードディスクに録画されているか否かについて問い合わせがきたとき、その問い合わせに答えることが可能になる。
選局したテレビ番組の画面や、テレビ番組の再生画面については多重化部２０に出力する。
レコーダ制御部１８及びレコーダ部１９から番組選局手段、番組録画手段、録画予約手段及び番組再生手段が構成されている。
【００１９】
多重化部２０は描画処理部１６から出力されたウェブページの画像データと、レコーダ制御部１８から出力された各種ボタンの画像データと、レコーダ部１９により選局された現在放送中のテレビ番組の画面又は録画されているテレビ番組の再生画面とを多重化して、多重化後の画面を画面出力部２１に出力する処理を実施する。
画面出力部２１は多重化部２０から出力された多重化後の画面を図示せぬディスプレイに表示する処理を実施する。
図３はこの発明の実施の形態１によるウェブ連携放送受信装置の処理手順を示すフロー図である。
【００２０】
次に動作について説明する。
ウェブサーバ１が管理しているウェブページの中には、例えば、図４に示すように、特定のテレビ番組に関する感想のウェブページが含まれていることがある。
このウェブページには、テレビ番組名である「おめざめテレビ」がｄｉｖ要素１０１内に記述され、そのｄｉｖ要素１０１のｃｌａｓｓ属性に“ｅｖｅｎｔ−ｎａｍｅ”という名前が設定されている。
また、このウェブページには、テレビ番組に関する感想１０３が記述されている。
【００２１】
このようなウェブページであれば、ウェブ連携放送受信装置３の番組情報検出部１７では、ｃｌａｓｓ属性が“ｅｖｅｎｔ−ｎａｍｅ”であるＸＭＬ要素を探索することで、ｄｉｖ要素１０１をテレビ番組名として検出することができる。
なお、スタイルシート１０２のように、ｃｌａｓｓ属性に“ｅｖｅｎｔ−ｎａｍｅ”が含まれるＸＭＬ要素がウェブブラウザ１２の描画処理部１６によって描画されないように設定してもよい。
【００２２】
例えば、地上デジタル放送のテレビ番組であれば、ウェブページが図５のように記述されていてもよい。
この場合、非特許文献である「ＡＲＩＢ  ＳＴＤ−Ｂ１０」に記載されているネットワーク識別、トランスポートストリーム識別、サービス識別、イベント識別、開始時間、継続時間については、以下のように記述される。
ネットワーク識別はｄｉｖ要素２０１内に記述されて、ｃｌａｓｓ属性が“ｎｅｔｗｏｒｋ＿ｉｄ”とされる。
トランスポートストリーム識別はｄｉｖ要素２０２内に記述されて、ｃｌａｓｓ属性が“ｔｒａｎｓｐｏｒｔ＿ｓｔｒｅａｍ＿ｉｄ”とされる。
サービス識別はｄｉｖ要素２０３内に記述されて、ｃｌａｓｓ属性が“ｓｅｒｖｉｃｅ＿ｉｄ”とされる。
イベント識別はｄｉｖ要素２０４内に記述されて、ｃｌａｓｓ属性が“ｅｖｅｎｔ＿ｉｄ”とされる。
開始時間はｄｉｖ要素２０５内に記述されて、ｃｌａｓｓ属性が“ｓｔａｒｔ＿ｔｉｍｅ”とされる。
継続時間はｄｉｖ要素２０６内に記述されて、ｃｌａｓｓ属性が“ｄｕｒａｔｉｏｎ”とされる。
【００２３】
このようなウェブページであれば、ウェブ連携放送受信装置３の番組情報検出部１７では、ｃｌａｓｓ属性が“ｎｅｔｗｏｒｋ＿ｉｄ”、“ｔｒａｎｓｐｏｒｔ＿ｓｔｒｅａｍ＿ｉｄ”、“ｓｅｒｖｉｃｅ＿ｉｄ”、“ｅｖｅｎｔ＿ｉｄ”、“ｓｔａｒｔ＿ｔｉｍｅ”、あるいは、“ｄｕｒａｔｉｏｎ”であるＸＭＬ要素を探索することで、ｄｉｖ要素２０１〜２０６をネットワーク識別、トランスポートストリーム識別、サービス識別、イベント識別、開始時間、あるいは、継続時間として検出することができる。
なお、スタイルシート２０７のように、ｃｌａｓｓ属性に“ｎｅｔｗｏｒｋ＿ｉｄ”、“ｔｒａｎｓｐｏｒｔ＿ｓｔｒｅａｍ＿ｉｄ”、“ｓｅｒｖｉｃｅ＿ｉｄ”、“ｅｖｅｎｔ＿ｉｄ”、“ｓｔａｒｔ＿ｔｉｍｅ”、あるいは、“ｄｕｒａｔｉｏｎ”が含まれるＸＭＬ要素がウェブブラウザ１２の描画処理部１６によって描画されないように設定してもよい。
【００２４】
以下、図３の処理手順にしたがって処理内容を具体的に説明する。
まず、利用者が入力受付部１１を操作して、閲覧を希望するウェブページのＵＲＩを入力する（ステップＳＴ１）。
既にウェブページが開かれている場合には、利用者が入力受付部１１を操作して、そのウェブページ内のアンカー（リンク）をクリックすることで、そのアンカーに設定されているＵＲＬを指定する。
入力受付部１１は、ＵＲＬの入力を受け付けると、そのＵＲＬの入力情報をウェブブラウザ１２のブラウザ制御部１３に伝達する（ステップＳＴ２）。
【００２５】
ウェブブラウザ１２のブラウザ制御部１３は、入力受付部１１からＵＲＬの入力情報を受けると、そのＵＲＬと対応するウェブページのダウンロード要求をウェブページ収集部１４に出力する（ステップＳＴ３）。
ウェブページ収集部１４は、ブラウザ制御部１３からダウンロード要求を受けると、ウェブサーバ１とＨＴＴＰ通信を行うことで、ウェブサーバ１からダウンロード要求に含まれているＵＲＬに対応するウェブページのダウンロードを行う。
【００２６】
即ち、ウェブページ収集部１４は、そのＵＲＬを含むＨＴＴＰリクエストメッセージを生成して、そのＨＴＴＰリクエストメッセージをウェブサーバ１に送信する（ステップＳＴ４）。
ウェブサーバ１は、ウェブページ収集部１４からＨＴＴＰリクエストメッセージを受信すると、そのＨＴＴＰリクエストメッセージに含まれているＵＲＩに対応するウェブページをＨＴＴＰレスポンスメッセージに載せてウェブページ収集部１４に返送する（ステップＳＴ５）。
なお、ＨＴＴＰリクエストメッセージに対するＵＲＬの含め方や、ＨＴＴＰレスポンスメッセージに対するウェブページの載せ方は、ＲＦＣ２０６８に記述されているため詳説な説明を省略する。
【００２７】
ウェブページ収集部１４は、ウェブサーバ１からＨＴＴＰレスポンスメッセージを受信すると、そのＨＴＴＰレスポンスメッセージに載せられているウェブページを構文解析部１５に出力する。
構文解析部１５は、ウェブページ収集部１４からウェブページを受けると、そのウェブページの構文を解析する（ステップＳＴ６）。
構文解析部１５は、ウェブページの構文を解析すると、その構文解析結果であるＤＯＭデータを番組情報検出部１７に出力して、番組情報の検出を番組情報検出部１７に要求する（ステップＳＴ７）。
【００２８】
また、構文解析部１５は、ウェブページの構文解析結果であるＤＯＭデータを描画処理部１６に出力して、そのウェブページの描画を要求する（ステップＳＴ８）。
描画処理部１６は、構文解析部１５からウェブページの描画要求を受けると、ウェブページの構文解析結果であるＤＯＭデータを参照して、ウェブページの画像データを生成し、その画像データを多重化部２０に出力する。
例えば、図４のウェブページであれば、テレビ番組に関する感想１０３を示す部分が、ウェブページの画像データ（例えば、図６の画面３０３を参照）として生成される。
【００２９】
番組情報検出部１７は、構文解析部１５から番組情報の検出要求を受けると、ウェブページの構文解析結果であるＤＯＭデータから、テレビ番組の番組情報の検出処理を実施する。
即ち、番組情報検出部１７は、ＤＯＭと呼ばれるインタフェースによって、構文解析部１５の構文解析結果の内部情報を読み出し、ウェブページにおけるＸＭＬ要素のｃｌａｓｓ属性に基づいて、番組情報を記述しているＸＭＬ要素を検出することで、テレビ番組の番組情報を検出する。
番組情報検出部１７は、テレビ番組の番組情報を検出すると、その番組情報をレコーダ制御部１８に出力する（ステップＳＴ９）。
【００３０】
レコーダ制御部１８は、番組情報検出部１７から番組情報を受けると、その番組情報をレコーダ部１９に出力し、その番組情報が示すテレビ番組に関し、レコーダ部１９に対して下記の問い合わせを行う（ステップＳＴ１０）。
（１）現在放送中のテレビ番組であるか？
（２）近い将来放送予定のテレビ番組であるか？
（３）内蔵のハードディスク等に対して既に録画済みのテレビ番組であるか？
【００３１】
レコーダ部１９は、レコーダ制御部１８から上記の問い合わせを受けると、レコーダ制御部１８から出力された番組情報と、電子番組案内表から得られるテレビ番組の番組情報とを照合することで、問い合わせ（１）（２）（３）に対する返答をレコーダ制御部１８に行う（ステップＳＴ１１）。
なお、レコーダ部１９は、上述したように、テレビ番組をハードディスクに録画する際、電子番組案内表から得られる番組情報を録画番組に付与するようにしているので、番組情報検出部１７により検出された番組情報が示すテレビ番組がハードディスクに録画されているか否かの問い合わせに答えることが可能である。
【００３２】
レコーダ制御部１８は、レコーダ部１９から問い合わせ（１）（２）（３）に対する返答を受けると、その返答に対応するボタンの画像を作成し、そのボタンの画像データを多重化部２０に出力する（ステップＳＴ１２）。
即ち、レコーダ制御部１８は、レコーダ部１９からの返答が、現在放送中のテレビ番組である旨を示す場合、そのテレビ番組の選局に用いる選局用ボタンの画像データ（図７の選局用ボタン４０１を参照）を作成する。
レコーダ制御部１８は、レコーダ部１９からの返答が、近い将来放送予定のテレビ番組である旨を示す場合、放送予定のテレビ番組の録画予約に用いる予約用ボタンの画像データ（図８の予約用ボタン４０３を参照）を作成する。
【００３３】
また、レコーダ制御部１８は、レコーダ部１９からの返答が、選局されているテレビ番組が未録画である旨を示す場合、選局されているテレビ番組の録画に用いる録画用ボタンの画像データ（図７の録画用ボタン４０２を参照）を作成する。
レコーダ制御部１８は、レコーダ部１９からの返答が、選局されているテレビ番組が既に録画済みである旨を示す場合、録画されているテレビ番組の再生に用いる再生用ボタンの画像データ（図９の再生用ボタン４０４を参照）を作成する。
レコーダ制御部１８は、各種ボタンの画像データを多重化部２０に出力すると、利用者によるボタン操作待ちの状態に移行する（ステップＳＴ１３）。
【００３４】
多重化部２０は、描画処理部１６からウェブページ３０３の画像データを受け、レコーダ制御部１８から選局用ボタン４０１の画像データ及び録画用ボタン４０２の画像データを受けると、そのウェブページ３０３の画像データと、選局用ボタン４０１の画像データ及び録画用ボタン４０２の画像データと、レコーダ部１９により現在選局されている放送中のテレビ番組の画面３０２とを多重化して、多重化後の画面３０１を画面出力部２１に出力する。
これにより、画面出力部２１は、図７に示すような画面３０１をディスプレイに表示する。
【００３５】
また、多重化部２０は、描画処理部１６からウェブページ３０３の画像データを受け、レコーダ制御部１８から予約用ボタン４０３の画像データを受けると、そのウェブページ３０３の画像データと、予約用ボタン４０３の画像データと、レコーダ部１９により現在選局されている放送中のテレビ番組の画面３０２とを多重化して、多重化後の画面３０１を画面出力部２１に出力する。
これにより、画面出力部２１は、図８に示すような画面３０１をディスプレイに表示する。
【００３６】
また、多重化部２０は、描画処理部１６からウェブページ３０３の画像データを受け、レコーダ制御部１８から再生用ボタン４０４の画像データを受けると、そのウェブページ３０３の画像データと、再生用ボタン４０４の画像データと、レコーダ部１９により現在選局されている放送中のテレビ番組の画面３０２とを多重化して、多重化後の画面３０１を画面出力部２１に出力する。
これにより、画面出力部２１は、図９に示すような画面３０１をディスプレイに表示する。
【００３７】
利用者が入力受付部１１を操作して、選局用ボタン４０１、録画用ボタン４０２、予約用ボタン４０３、再生用ボタン４０４のいずれかを指定すると（ステップＳＴ１４）、いずれのボタンを指定したかを示す情報をレコーダ制御部１８に通知する（ステップＳＴ１５）。
レコーダ制御部１８は、入力受付部１１から上記の通知を受けると、ボタン操作待ちの状態を解除して、各種ボタンの画像データの多重化を取り消す（ステップＳＴ１６）。即ち、利用者により操作が指定されたので、各種ボタンによる操作案内を消去する。
【００３８】
また、レコーダ制御部１８は、利用者により指定されたボタンに対応する制御を行う（ステップＳＴ１７）。
即ち、レコーダ制御部１８は、選局用ボタン４０１が指定された場合、テレビ番組の選局指令をレコーダ部１９に出力する。
これにより、レコーダ部１９は、番組情報検出部１７により検出された番組情報が示すテレビ番組を選局して、そのテレビ番組の画面を多重化部２０に出力する。
レコーダ制御部１８は、録画用ボタン４０２が指定された場合、テレビ番組の録画指令をレコーダ部１９に出力する。
これにより、レコーダ部１９は、現在選局されている放送中のテレビ番組をハードディスクに録画する。
【００３９】
また、レコーダ制御部１８は、予約用ボタン４０３が指定された場合、テレビ番組の録画予約指令をレコーダ部１９に出力する。
これにより、レコーダ部１９は、番組情報検出部１７により検出された番組情報が示す放送予定のテレビ番組の録画予約を実施する。
レコーダ制御部１８は、再生用ボタン４０４が指定された場合、テレビ番組の再生指令をレコーダ部１９に出力する。
これにより、レコーダ部１９は、番組情報検出部１７により検出された番組情報が示す録画済みのテレビ番組を再生し、その再生画面を多重化部２０に出力する。
【００４０】
以上で明らかなように、この実施の形態１によれば、ウェブサーバから所望のウェブページを収集するウェブページ収集部１４と、ウェブページ収集部１４により収集されたウェブページの構文を解析する構文解析部１５と、構文解析部１５の構文解析結果からテレビ番組の番組情報を検出する番組情報検出部１７とを設け、番組情報検出部１７により検出された番組情報が示すテレビ番組を選局するように構成したので、所望のテレビ番組に関するウェブページにアクセスするだけで、大量のテレビ番組の中から、簡単に所望のテレビ番組を選局することができる効果を奏する。
【００４１】
また、この実施の形態１によれば、番組情報検出部１７により検出された番組情報が示す放送予定のテレビ番組を録画予約するように構成したので、所望のテレビ番組に関するウェブページにアクセスするだけで、大量のテレビ番組の中から、簡単に所望のテレビ番組を選択して録画予約することができる効果を奏する。
【００４２】
また、この実施の形態１によれば、録画済みのテレビ番組の中から、番組情報検出部１７により検出された番組情報が示すテレビ番組を選択し、そのテレビ番組を再生するように構成したので、所望のテレビ番組に関するウェブページから番組情報にアクセスするだけで、大量の録画済みのテレビ番組の中から、簡単に所望のテレビ番組を選択して再生することができる効果を奏する。
【図面の簡単な説明】
【００４３】
【図１】この発明の実施の形態１によるウェブ連携放送受信装置を適用するシステムを示す構成図である。
【図２】この発明の実施の形態１によるウェブ連携放送受信装置を示す構成図である。
【図３】この発明の実施の形態１によるウェブ連携放送受信装置の処理手順を示すフロー図である。
【図４】ウェブページの構文例を示す説明図である。
【図５】ウェブページの構文例を示す説明図である。
【図６】画面例を示す説明図である。
【図７】画面例を示す説明図である。
【図８】画面例を示す説明図である。
【図９】画面例を示す説明図である。
【符号の説明】
【００４４】
１  ウェブサーバ、２  ネットワーク、３  ウェブ連携放送受信装置、１１  入力受付部、１２  ウェブブラウザ、１３  ブラウザ制御部、１４  ウェブページ収集部（ウェブページ収集手段）、１５  構文解析部（構文解析手段）、１６  描画処理部、１７  番組情報検出部（番組情報検出手段）、１８  レコーダ制御部（番組選局手段、番組録画手段、録画予約手段、番組再生手段）、１９  レコーダ部（番組選局手段、番組録画手段、録画予約手段、番組再生手段）、２０  多重化部、２１  画面出力部、１０１  ｄｉｖ要素、１０２  スタイルシート、１０３  テレビ番組に関する感想、２０１〜２０６  ｄｉｖ要素、２０７  スタイルシート、３０１  多重化後の画面、３０２  現在選局されている放送中のテレビ番組の画面、３０３  ウェブページ、４０１  選局用ボタン、４０２  録画用ボタン、４０３  予約用ボタン、４０４  再生用ボタン。
【図１】
2010147907.tif 000003
【図２】
2010147907.tif 000004
【図３】
2010147907.tif 000005
【図４】
2010147907.tif 000006
【図５】
2010147907.tif 000007
【図６】
2010147907.tif 000008
【図７】
2010147907.tif 000009
【図８】
2010147907.tif 000010
【図９】
2010147907.tif 000011